(57)【特許請求の範囲】
【請求項１】
各々露光用の開口部が形成されていて所定の間隔を開けて相互に取り付けられた二つの地板と、前記二つの地板間に配置され夫々の一端部を支点にして往復回動する複数のアームにそれらの他端部に向けて複数枚の羽根を各羽根の一端部で順次枢支し最も他端部側に枢支された羽根をスリット形成羽根とした構成をしていて該アームの一つが先羽根用駆動手段によって作動されることにより露光作動時には複数枚の羽根が前記開口部を覆っている展開位置から前記開口部を退避した重畳位置まで作動される先羽根群と、前記二つの地板間に配置され夫々の一端部を支点にして往復回動する複数のアームにそれらの他端部に向けて複数枚の羽根を各羽根の一端部で順次枢支し最も他端部側に枢支された羽根をスリット形成羽根とした構成をしていて該アームの一つが後羽根用駆動手段によって作動されることにより露光作動時には複数枚の羽根が前記開口部を退避している重畳位置から前記開口部を覆う展開位置まで作動されその展開位置では該複数枚の羽根の他端部が該スリット形成羽根から隣接順に前記開口部から離れた位置となる後羽根群と、前記後羽根群の作動領域に配置されていて露光作動終了時に前記後羽根群の複数枚の羽根のうち少なくとも前記スリット形成羽根とそれに隣接する羽根との２枚の羽根の他端部が個別に当接することのできる複数の緩衝部材とを備えていることを特徴とするフォーカルプレンシャッタ。
【請求項２】
前記二つの地板の間にスペース部材が配置されていて、前記複数の緩衝部材は該スペース部材に取り付けられていることを特徴とする請求項１に記載のフォーカルプレンシャッタ。
【請求項３】
前記スペース部材には、前記後羽根群の露光作動の終了側に少なくとも二つの階段状の段部が形成されており、前記複数の緩衝部材は夫々該段部に取り付けられていることを特徴とする請求項２に記載のフォーカルプレンシャッタ。
【請求項４】
前記スペース部材が、前記二つの地板の一方に一体的に形成されていることを特徴とする請求項２又は３に記載のフォーカルプレンシャッタ。
【請求項５】
前記スペース部材と前記緩衝部材とを、緩衝材料によって一体的に形成していることを特徴とする請求項２又は３に記載のフォーカルプレンシャッタ。
【請求項６】
前記複数の緩衝部材に、前記後羽根群の各羽根が夫々その他端部で当接するようにしたことを特徴とする請求項１乃至５の何れかに記載のフォーカルプレンシャッタ。
【発明の詳細な説明】
【０００１】
【発明の属する技術分野】
本発明は、撮影に際し、先羽根群と後羽根群とを同一方向へ順次作動させ、両羽根群のスリット形成羽根によって形成されたスリットによりフィルムを露光するようにしたカメラ用のフォーカルプレンシャッタに関する。
【０００２】
【従来の技術】
一般に、この種のフォーカルプレンシャッタは、略中央部に露光用の開口部を有し、相互に取り付けられた二つの地板（通常、一方の地板をシャッタ地板と称しており、他方の地板はカバー板，補助地板などと称されている）の間に、先羽根群と後羽根群とを配置している。各羽根群は、一端部を一方の地板に枢着されている少なくとも二つのアームに、それらの他端部に向けて複数枚の羽根を順次枢支した構成をしており、最先端部に枢支された羽根が運動量の一番大きいスリット形成羽根となっている。そして、その枢支構成は、リベット部品である連結軸をアームの孔に挿入して回転可能に嵌合させ、その挿入端を羽根にかしめるようにしている。
【０００３】
また、各羽根群のアームの一つには、枢着部に近い位置に長孔が形成されている。そして、上記した二つの地板の間には、中間板又は仕切り板と称される板部材を設け、先羽根群と後羽根群の作動領域を分離し、両者が作動上干渉しないように構成されている。尚、この中間板は、通常の場合、上記した二つの地板よりも若干小さくて、その略中央部には、二つの地板の開口部と類似の開口部を有するように製作されることが多いが、特にそのような形状にしなければならないというようなものではない。先羽根群と後羽根群との作動が干渉しなければよいわけで、いろいろな形状が考えられる。
【０００４】
更に、一方の地板には、先羽根用駆動部材と後羽根用駆動部材とが往復回動可能に取り付けられていて、夫々の駆動部材の作動ピンが、上記したアームの孔に嵌合している。そのため、各羽根群の複数枚の羽根は、アームが作動ピンによって一方向へ回動すると、相互の重なりを少なくしつつ展開し、他方向へ回動すると、相互の重なりを大きくしつつ重畳されるようになっている。そして、シャッタのセット状態においては、先羽根群が展開状態となって露光用の開口部を覆い、後羽根群は重畳状態となって露光用の開口部から退避させられており、また、露光作動の終了直後においては、先羽根群は重畳状態となって上記の開口部から退避し、後羽根群は展開状態となって開口部を覆うようになっている。
【０００５】
更にまた、先羽根用駆動部材と後羽根用駆動部材とは、通常、露光作動時には、夫々の駆動ばねの付勢力によって一方向へ回転され、セット作動時には、それらの駆動ばねの力に抗し、セット部材によって逆方向へ回転されるようになっているが、そのほかにも、各駆動部材を、夫々のモータによって作動させるようにしたものが知られている。そのうち、各駆動ばねによって各駆動部材に露光作動を行わせるようにしたものは、過去において、各露光作動のスタート時機を、歯車列からなる機械的な遅延機構によって制御するようにしたものもあったが、現在では、その殆どが、露光時間制御回路に接続された電磁石によって制御されるようになっている。
【０００６】
そして、このような電磁石によって制御する場合にも、その構成の違いによって、二つのタイプがある。即ち、その一つは、露光作動開始位置においては、各駆動部材が各々の係止部材によって機械的に係止されていて、各電磁石に吸着されていた夫々の鉄片部材の作動によって、それらの係止を順次解除するようにしたものであって、通常、係止タイプと称されているものである。また、もう一つのタイプは、鉄片部材が夫々各駆動部材に設けられていて、露光作動開始位置においては、各々の電磁石が各駆動部材を直接吸着保持しており、その吸着力を、所定のタイミングで順次解くようにしたものであって、通常、ダイレクトタイプと言われているものである。
【０００７】
ところで、これらの構成のシャッタにおいては、各羽根群は、露光作動時に高速で作動させられるため、露光作動終了直後の停止時には、ストッパに衝突して強い衝撃を受けることになる。そのため、各羽根群は、作動してきた方向（セット方向）へ戻る力を受けるだけではなく、アームや羽根が撓まされて、羽根の平面に対して略垂直方向への力も受けることになる。そして、作動してきた方向（セット方向）へ戻る力が大きく働いてバウンドした場合には、各スリット形成羽根のスリット形成縁が再度露光開口部内に進入し、先羽根群のスリット形成羽根の場合には、フィルム面の一部に対する露光を一時的に遮り、後羽根群のスリット形成羽根の場合には、フィルム面の一部に対して一時的に再露光を行い、夫々露光むらを生じさせてしまうことになる。また、ストッパに衝突したときの衝撃力が余りにも大きい場合には、アームと羽根との枢支部が破壊されたり、羽根が裂けたりしてしまうことがある。
【０００８】
そこで、そのような事態を回避するために、これまでにも、衝撃やバウンドを緩和することの可能な種々の衝撃吸収手段が提案され且つそれらの一部が実施されているが、それらを大別すると、その手段を羽根に直接作用させるものと、羽根とアームとの連結軸に作用させるものと、アームに作用させるものと、駆動部材に作用させるものとに分けることができる。また、実施をするに際しては、必要に応じて、それらの複数のものを採用することもあるし、先羽根系と後羽根系とでは、異なるように構成することもある。
【０００９】
しかしながら、実際に露光むらが発生するのも破壊が発生するのも、衝撃による羽根の異常作動が原因であることから、特に機構上に問題さえなければ、衝撃吸収手段の働きを羽根自身に対して、しかも全ての羽根に対して直接作用させるようにするのが好ましい。しかし、先羽根群の羽根の場合は、露光作動終了時に重畳状態になるため、衝撃吸収手段を全ての羽根に直接作用させるように構成するのが容易であるが、後羽根群の場合には、各羽根が露光作動終了時に展開状態になってしまうから面倒である。そのため、実開昭５９−４５２５号公報に記載の従来例においては、ゴム，合成樹脂等の衝撃吸収性及び復元性に富む素材で形成されたスペーサと称する緩衝部材が設けられているものの、そのスペーサには、露光作動終了時に、先羽根群の羽根は全て当接するが、後羽根群についてはスリット形成羽根のみが当接するようになっている。
【００１０】
【発明が解決しようとする課題】
周知のように、各羽根群における複数の羽根は、夫々短冊状をしていて、その一端でアームに連結され、作動中も常に横長に姿勢を保つように構成されている。そのため、上記の従来例のように、後羽根群については、スリット形成羽根のみを緩衝部材に当接させると、スリット形成羽根だけは、理論的には、横長の姿勢を保って停止することになるが、その他の羽根は、慣性力によって、アームとの各連結部近辺を中心に傾きを生じ且つ反動によって一時的に揺動することになる。そして、その慣性力は、各羽根の作動量の違いから、アームの根元側に連結された羽根に対してよりも、アームの先端側に連結された羽根の方に大きく作用することになり、しかも、それらの異なる力が、薄くて細長い板状のアームを介して、全ての羽根に相互に複雑に作用し合うことになるため、羽根だけではなくアームにも撓みや捩じりが発生することになる。その結果、特に、高速作動のシャッタであったり、展開状態における羽根相互の重なりを少なく設定したシャッタの場合には、隣接する羽根の先端部（アームに連結している端部とは反対側の端部）の重なりを適切に維持することができず、その部分から一時的に光が漏れ、フィルム面の一部を再露光させてしまうことがある。また、それらの複雑な力の作用によって、スリット形成羽根をも傾けさせ、場合によってはスリット形成端縁から再露光をさせてしまうこともある。
【００１１】
本発明は、このような問題点を解決するためになされたものであり、その目的とするところは、露光作動終了時に、後羽根群を構成する羽根のうち、複数の羽根が緩衝部材に当接できるようにし、フィルムの再露光を防止できるようにした小型化，高速化に適するカメラ用のフォーカルプレンシャッタを提供することである。
【００１２】
【課題を解決するための手段】
上記の目的を達成するために、本発明のフォーカルプレンシャッタは、各々露光用の開口部が形成されていて所定の間隔を開けて相互に取り付けられた二つの地板と、前記二つの地板間に配置され夫々の一端部を支点にして往復回動する複数のアームにそれらの他端部に向けて複数枚の羽根を各羽根の一端部で順次枢支し最も他端部側に枢支された羽根をスリット形成羽根とした構成をしていて該アームの一つが先羽根用駆動手段によって作動されることにより露光作動時には複数枚の羽根が前記開口部を覆っている展開位置から前記開口部を退避した重畳位置まで作動される先羽根群と、前記二つの地板間に配置され夫々の一端部を支点にして往復回動する複数のアームにそれらの他端部に向けて複数枚の羽根を各羽根の一端部で順次枢支し最も他端部側に枢支された羽根をスリット形成羽根とした構成をしていて該アームの一つが後羽根用駆動手段によって作動されることにより露光作動時には複数枚の羽根が前記開口部を退避している重畳位置から前記開口部を覆う展開位置まで作動されその展開位置では該複数枚の羽根の他端部が該スリット形成羽根から隣接順に前記開口部から離れた位置となる後羽根群と、前記後羽根群の作動領域に配置されていて露光作動終了時に前記後羽根群の複数枚の羽根のうち少なくとも前記スリット形成羽根とそれに隣接する羽根との２枚の羽根の他端部が個別に当接することのできる複数の緩衝部材とを備えているようにする。
また、本発明のフォーカルプレンシャッタにおいては、好ましくは、前記二つの地板の間にスペース部材が配置されていて、前記複数の緩衝部材は該スペース部材に取り付けられているようにする。
その場合、好ましくは、前記スペース部材には、前記後羽根群の露光作動の終了側に少なくとも二つの階段状の段部が形成されており、前記複数の緩衝部材は夫々該段部に取り付けられているようにする。
更に、好ましくは、前記スペース部材が、前記二つの地板の一方に一体的に形成されているようにする。
又は、前記スペース部材と前記緩衝部材とを、緩衝材料によって一体的に形成しているようにする。
また、本発明のフォーカルプレンシャッタにおいては、好ましくは、前記複数の緩衝部材に、前記後羽根群の各羽根が夫々その他端部で当接するようにする。
【００１３】
【発明の実施の形態】
本発明の実施の形態を、図１〜図６に示した実施例によって説明する。尚、図１はシャッタのセット状態を透視的に描いた平面図である。また、図２〜図５は、いずれも実施例の構成部を個々に示した平面図であって、図１において表面側から背面側に向けて配置されている順に図２（ａ），図２（ｂ），図２（ｃ），図３（ａ），図３（ｂ），図４（ａ），図４（ｂ），図４（ｃ），図５（ａ），図５（ｂ）として示したものである。更に、図６は露光作動終了直後の状態を透視的に描いた平面図である。
【００１４】
先ず、実施例の構成から説明する。図１において、一番表面側にはシャッタ地板１が配置されている。このシャッタ地板１は図２（ａ）に示されていて、その略中央部には開口部１ａが形成されている。また、四隅には夫々カメラへ取り付けるための孔１ｂ，１ｂ，１ｂ，１ｂが形成されており、開口部１ａの左方には二つの円弧状の孔１ｃ，１ｄが形成されている。更に、シャッタ地板１には軸１ｅ，１ｆ，１ｇ，１ｈ，１ｉ，１ｊ，１ｋ，１ｍが立設されていて、これらのうち軸１ｆ，１ｈ，１ｉ，１ｊ，１ｋ，１ｍは背面側に立設されているが、軸１ｅ，１ｇは表裏に貫通しており、表面側の直径が背面側の直径よりも大きくなるように形成されている。
【００１５】
本実施例における各構成部は、このようなシャッタ地板１の各軸に取り付けられているので、以下、その詳細について説明するが、その前に、図示していない事柄も含めて全体像について説明をしておく。シャッタ地板１の背面側には、夫々所定の間隔を空けて、中間板１２（図３（ｂ））と補助地板２８（図５（ｂ））が順に取り付けられており、中間板１２と補助地板２８にも上記開口部１ａと類似の形状をした開口部１２ａ，２８ａが形成されている。そして、通常は、それらの三つの開口部の合成によって、シャッタユニットとしての露光開口が、光軸を中心にして略長方形に形成されるが、本実施例においては、実質上、開口部１ａがその露光開口を規制している。尚、既に述べたように、中間板１２は、その機能さえ果たせれば形状には制約がなく、例えば図３（ｂ）に示す右半分の形状、即ちコ字状に形成しても差し支えない場合がある。
【００１６】
また、本実施例の場合には、シャッタ地板１と中間板１２の間に形成された空間領域が先羽根群４（図３（ａ））の羽根室となり、中間板１２と補助地板２８の間に形成された空間領域が後羽根群１３（図４（ａ））の羽根室となっている。更に、周知であるため図示していないが、シャッタ地板１の軸１ｅ，１ｇには、シャッタ地板１の表面側において先羽根用駆動部材と後羽根用駆動部材が回転可能に取り付けられ、それらの各作動ピンが孔１ｃ，１ｄを貫通して各羽根室内に伸長し、先羽根群４と後羽根群１３を作動させるようになっている。各駆動部材の駆動方法については、既に述べた周知のどの方法を用いても差し支えない。そして、このようなシャッタユニットをカメラに組み付けた場合には、シャッタ地板１がレンズ側になり、補助地板２８がフィルム側となる。
【００１７】
さて、そこで、シャッタ地板１の軸１ｍ，１ｋには、図２（ｂ）に示す先羽根用押さえ板２が孔２ａ，２ｂを嵌合させており、その後、軸１ｋにのみ図２（ｃ）に示す間座３が嵌合されている。そして、それらは、いずれも各軸に対して軸方向に可動となっている。図３（ａ）に示すように、先羽根群４は、基本的には二つのアーム５，６と、それらに夫々の一端を枢支された５枚の羽根７，８，９，１０，１１で構成されており、アーム５，６の最先端に枢支されている羽根７がスリット形成羽根である。そして、それらの配置関係は、図３（ａ）から分かるように、シャッタ地板側にアーム５，６があり、背面側に向けて羽根７，８，９，１０，１１の順になっている。
【００１８】
また、アーム５，６は、シャッタ地板１の軸１ｅ，１ｆに回転可能に取り付けられていて、アーム５には、長い孔５ａが形成されている。そして、その孔５ａには上記した図示していない先羽根用駆動部材の作動ピンが嵌合するようになっている。従って、先羽根用駆動部材が時計方向へ回転すると、図３（ａ）においてアーム５が時計方向へ回転され、各羽根７，８，９，１０，１１は相互の重なりを大きくしつつ下方へ作動して重畳状態に達し、その後、先羽根用駆動部材が反時計方向へ回転すると、各羽根７，８，９，１０，１１は相互の重なりを少なくしつつ上方へ作動し、図３（ａ）に示す展開状態に達することになる。
【００１９】
次に、図３（ｂ）に示した中間板１２が、孔１２ｂ，１２ｃ，１２ｄを軸１ｊ，１ｋ，１ｍに嵌合させることによってシャッタ地板１に取り付けられている。従って、先羽根群４は、全体としてはシャッタ地板１と中間板１２との間の領域に配置されているものの、本実施例の場合には、厳密に言えば、羽根７，８，９，１０，１１の先端（図２（ａ）の右方端）は、間座を挟んでいる先羽根用押さえ板２と中間板１２との間に配置されていることになる。
【００２０】
しかし、この先羽根用押さえ板２は必ずしも必要ではない。即ち、本実施例の場合には、先羽根群４の構成上、アーム５，６が、上記したようにシャッタ地板１側に配置されているため、羽根７の理論上の作動面とシャッタ地板１との間には、少なくとも、アーム５，６の厚さ寸法と、枢支部における連結軸の突出分の寸法（リベット部品の頭の軸方向の寸法）とを合わせた大きさの隙間が生じることになる。そのため、何らかの方策を講じないと、各羽根７，８，９，１０，１１の先端は、シャッタ地板１側に不安定な状態に置かれてしまう。そこで、各羽根の先端がシャッタ地板１側に大きく変位するのを抑制するために、先羽根用押さえ板２を設けている。従って、他の方策が講じられていれば、先羽根用押さえ板２は必要ない。また、そのようにする場合の一例としては、シャッタ地板１を合成樹脂製とし、先羽根用押さえ板２の配置されている部分を一体成形で肉厚に形成することが考えられる。
【００２１】
また、上記したように、本実施例においては、先羽根用押さえ板２と中間板１２との間において、軸１ｋには間座３が取り付けられているが、軸１ｍには特別な間座を取り付けていない。言い換えれば、軸１ｋの部分においては、先羽根用押さえ板２と中間板１２との間隔が間座３によって規制され、所定の寸法が確保されているが、軸１ｍの部分においては、その寸法よりも狭い間隔になっている。そのため、図１を右側面から視た場合、中間板１２は、実際には、シャッタ地板１及び先羽根用押さえ板２に対して斜めになるように取り付けられている。これは、先羽根群４の羽根は下方に重畳されるので、下方においては光軸方向に羽根５枚分以上の間隔を必要とするが、展開状態においては各羽根の重なりは略２枚分になってしまうから、同じ寸法の間隔を空けておくと、各羽根の先端が不安定になってしまうからである。
【００２２】
中間板１２の背面側には後羽根群１３が配置されている。この後羽根群１３は、上記した先羽根群４と類似の構成をしていて、図４（ａ）に示すように、二つのアーム１４，１５と、それらに夫々の一端部を枢支した５枚の羽根１６，１７，１８，１９，２０で構成しており、それらのうちアーム１４，１５の最先端に枢支された羽根１６がスリット形成羽根である。そして、それらの配置関係は、図４（ａ）から分かるように、補助地板２３側にアーム１４，１５があり、表面側に向けて羽根１６，１７，１８，１９，２０の順になっている。
【００２３】
また、アーム１４，１５は、シャッタ地板１の軸１ｇ，１ｈに回転可能に取り付けられていて、アーム１４には、長い孔１４ａが形成されている。そして、孔１４ａには図示していない後羽根用駆動部材の作動ピンが嵌合するようになっていて、後羽根用駆動部材が時計方向へ回転すると、図４（ａ）においてアーム１４が時計方向へ回転され、各羽根１６，１７，１８，１９，２０は相互の重なりを小さくしつつ下方へ作動して展開状態に達し、その後、後羽根用駆動部材が反時計方向へ回転すると、各羽根１６，１７，１８，１９，２０は重なりを大きくしつつ上方へ復帰し、図４（ａ）に示す重畳状態に達することになる。
【００２４】
更に、中間板１２の背面側には、図４（ｂ）に実線で示したスペース部材２１が配置されていて、孔２１ａ，２１ｂをシャッタ地板１の軸１ｍ，１ｋに嵌合させている。また、このスペース部材２１の光軸側には階段状に形成した五つの段部が形成されていて、夫々の段部に、ブチルゴム等の弾性材料からなる緩衝部材２２，２３，２４，２５，２６が接着等によって取り付けられている。更に、このスペース部材２１の表面側は、中間板１２と面接触するようになっているため、側面から視た場合、シャッタ地板１の面に対して傾いており、背面側はシャッタ地板１の面に対して平行な面に形成されている。従って、孔２１ａの近傍位置は、孔２１ｂの近傍位置に比較して厚くなっている。
【００２５】
スペース部材２１の背面側には、図４（ｃ）に示した後羽根用押さえ板２７が配置されていて、孔２７ａ，２７ｂをシャッタ地板１の軸１ｍ，１ｋに嵌合させている。この後羽根用押さえ板２７は後羽根群１３のために設けられた部材であり、その役目は、先羽根用押さえ板２の先羽根群４に対する役目と同じであるから詳細な説明は省略する。従って、この後羽根用押さえ板２７は、必ずしも単独の部品として構成する必要はなく、補助地板２８を合成樹脂製にし、そこに一体成形で形成するようにしてもよい。また、上記したスペース部材２１と合成樹脂で一体的に製作しても構わない。そのようにして製作した場合の部品形状が図４（ｂ）に一点鎖線で付記されている。更に、このことから、スペース部材２１を補助地板２８と合成樹脂で一体的に製作することも可能となる。
【００２６】
最後に、シャッタ地板１の一番背面側には補助地板２８が配置されていて、軸１ｉ，１ｊ，１ｋ，１ｍに取り付けられている。その取り付け方は周知であるため、その取り付けに必要な各軸の具体的な形状を図示していないが、軸１ｋ，１ｍの先端近くには周面に環状の溝が形成されていて、軸１ｉ，１ｊの先端面には軸方向に向けてねじ穴が形成されている。取り付けに際しては、補助地板２８に形成されている瓢箪型の孔２８ｂ，２８ｃの大きい孔の部分を軸１ｍ，１ｋの先端部に挿入し、次に、補助地板２８を左方へ移動させることによって、孔２８ｂ，２８ｃの小さい孔の部分の縁を上記した環状溝に嵌合させ、その後、ビスを孔２８ｄ，２８ｅに貫通させ、軸１ｉ，１ｊに形成された上記のねじ穴に螺合させることによって固定する。
【００２７】
このような取り付け作業によって、補助地板２８が左方へ移動されたとき、補助地板２８に形成された切欠き２８ｆ，２８ｇ，２８ｈ，２８ｉは、シャッタ地板１の軸１ｇ，１ｈ，１ｆ，１ｅに夫々嵌まるようになっていて、アーム１４，１５，６，５の抜け止めの役目をしている。また、補助地板２８の取り付け後においては、補助地板２８に形成されている円弧状の孔２８ｊ，２８ｋは、シャッタ地板１に形成された円弧状の孔１ｃ，１ｄに重なるようになっていて、上記した各駆動部材の作動ピンの先端が挿入され、アーム５，１４の孔５ａ，１４ａと各作動ピンとの嵌合状態を維持し、且つ作動ピンの作動に影響を与えないようにしている。更に、補助地板２８には、周囲に、シャッタ地板１側に向けて遮光用の折曲部が形成されているが、それらのうち下側の折曲部２８ｍには、ブチルゴム等の弾性材料で製作された緩衝部材２９が接着されている。
【００２８】
次に、本実施例の作動を説明する。図１はシャッタのセット状態を示しており、アーム５，１４は、図示していない夫々の駆動部材の作動ピンによって反時計方向へ回転された状態にある。そのため、先羽根群４の羽根７，８，９，１０，１１は展開状態となって露光開口即ち開口部１ａを覆っており、後羽根群１３の羽根１６，１７，１８，１９，２０は重畳状態となって開口部１ａから退避し、開口部１ａの上方位置に格納されている。このようなセット状態において、シャッタがレリーズされると、夫々軸１ｅ，１ｇに回転可能に取り付けられている先羽根用駆動部材と後羽根用駆動部材が、所定のタイミングで順次時計方向へ回転することになる。
【００２９】
そこで、先ず、先羽根用駆動部材によって作動される先羽根群４の露光作動について説明する。先羽根用駆動部材が軸１ｅで時計方向へ回転すると、孔５ａに嵌合している作動ピンによって、アーム５が時計方向へ急速に回転される。それによって先羽根群４の羽根７，８，９，１０，１１は下方へ作動され、開口部１ａを開放していく。この下方への作動において、羽根７，８，９，１０，１１は隣接する羽根との相互の重なり量を大きくしてゆき、開口部１ａを開放したとき、即ちスリット形成羽根である羽根７の上端縁（スリット形成縁）が開口部１ａの下端縁を過ぎた頃には、各羽根の重なり量は殆ど最大になっている。そして、各羽根は、略同時に、補助地板２８の折曲部２８ｍに取り付けられた緩衝部材２９に当接する。また、それと相前後して、先羽根用駆動部材の作動ピンが、円弧状の孔１ｃの下端部に当接し、先羽根群４の露光作動が終了する。
【００３０】
このような露光作動の終了段階において、もしも、緩衝部材２９が設けられていない場合には、先羽根用駆動部材の作動ピンが孔１ｃの下端部に当接することによって、また、各羽根７，８，９，１０，１１が折曲部２８ｍに当接することによって、先羽根系を構成する先羽根用駆動部材や先羽根群４がバウンドし、その結果として、羽根７の上端縁が一時的に開口部１ａ内の下方領域に進入し、その部分の露光を妨げてしまうことがある。緩衝部材２９は、このようなバウンドを防止するために設けられているわけであるが、バウンド量は、駆動力の大きさや先羽根系を構成する部材の質量等によって左右されてしまうので、何処か一箇所に緩衝部材を設ければそれで良いというものではなく、通常の場合、先羽根系については、緩衝部材２９のほかに孔１ｃの下端部にも緩衝部材を取り付け、そこに先羽根用駆動部材の作動ピンを当接させるようにしているのが普通である。更に、アーム５が当接する位置に、緩衝部材を設けるものも知られている。
【００３１】
次に、後羽根用駆動部材によって作動される後羽根群１３の露光作動について説明する。図示していない後羽根用駆動部材が軸１ｇで時計方向へ回転すると、孔１４ａに嵌合している作動ピンによって、アーム１４が時計方向へ急速に回転される。それによって後羽根群１３の羽根１６，１７，１８，１９，２０は下方へ作動され、開口部１ａを覆っていく。その過程で、各羽根は隣接する羽根との重なり量を少なくしてゆき、スリット形成羽根である羽根１６の下端縁（スリット形成縁）が開口部１ａの下端縁を過ぎ、開口部１ａを完全に覆った直後に、夫々の羽根の先端（右端）が、スペース部材２１に取り付けられた緩衝部材２２，２３，２４，２５，２６に当接する。また、それと殆ど同時に、後羽根用駆動部材の作動ピンが、円弧状の孔１ｄの下端部に当接し、後羽根群１３の露光作動が終了する。その状態が図６に示されている。尚、先羽根系について述べたのと同様に、後羽根系についても、通常は、孔１ｄの下端部に別の緩衝部材を取り付けるのが普通である。
【００３２】
ところで、既に述べたように、後羽根群については、露光作動終了時において、スリット形成羽根のみを緩衝部材に当接させる構成が知られている。そこで、本実施例において、緩衝部材２２だけを残しておき、他の緩衝部材２３，２４，２５，２６とそれらの取り付け部とを取り除いた場合には、どのような不都合が生じ易くなるのかを説明しておく。露光作動終了時に、羽根１６が緩衝部材２２に当接すると、緩衝部材２２は押されて変形し、衝撃力を吸収して制動作用を発揮する。しかし、このとき、他の羽根には制動力が直接与えられていないし、また各羽根は長尺形状の一端部（左端）で枢支されているので、それらの各羽根は、慣性力によって各枢支部近傍を支点にして時計方向へ傾かされることになる。そして、その傾かせる力は、各羽根の質量が略同じと仮定すると、羽根１６の次に作動量の大きな羽根１７の場合に一番大きく働くことになる。
【００３３】
このとき、アームや各羽根は、剛性が大きければともかく、実際には極めて薄い材料で製作されているために、そのような力を受けると捩じれを伴って複雑に撓むことになる。また、そのような撓みを生じつつ一定量時計方向へ傾いた後は、反作用によって反時計方向への動きに転じ、以下、各枢支部近傍を支点にした揺動（図６において上下方向への動き）をもすることになる。しかも、これらの運動は画一的に行われるわけではない。そのため、後羽根用押さえ板２７が配置されていても重なり量の少なくなっている羽根間の一部が、羽根の垂直方向（光軸方向）へ開いて一時的にフィルム面を再露光したり、また、バラバラな揺動によって隣接する羽根の先端部間が一時的に開いてしまい、再露光をさせるような事態が発生する。更に、場合によっては、それらの運動が羽根１６に対しても影響し、スリット形成縁が開口部１ａに一時的に進入し、再露光をさせてしまうような心配もある。
【００３４】
しかしながら、本実施例のように構成した場合には、このような心配を解消することが可能になる。また、本実施例においては、後羽根群１３の全ての羽根１６，１７，１８，１９，２０に緩衝部材２２，２３，２４，２５，２６を設けているが、そのように構成しなくても良い場合がある。既に説明したように、緩衝部材は、一箇所だけに設ける場合もあるが、実際には複数箇所に設けることがある。それは、シャッタの仕様によって異なってくるわけである。従って、他の条件によっては、全ての羽根に対して緩衝部材を設けなくても、それらのうちの複数の羽根に対して設けてあれば、それなりの効果を得られる場合がある。そして、そのように構成する場合には、アーム１４，１５の先端側に枢支されている作動量の大きな羽根に対して、優先的に設けることが好ましい。
【００３５】
さて、このようにして露光作動が終了すると、フィルムの巻き上げに連動してシャッタのセット作動が行われる。本実施例の場合には、図６に示すように、露光作動終了時には、スリット形成羽根である二つの羽根７，１６の重なりが十分に得られているため、図示していない先羽根用駆動部材と後羽根用駆動部材とは、反時計方向へ同時に回転され、作動ピンによってアーム５，１４が反時計方向へ回転される。そのため、先羽根群４の羽根７，８，９，１０，１１は、相互の重なりを少なくしつつ上方へ作動し、後羽根群１３の羽根１６，１７，１８，１９，２０は、相互の重なりを大きくしつつ上方へ作動する。そして、先羽根群４の羽根７，８，９，１０，１１が展開状態となって開口部１ａを完全に覆い、後羽根群１３の羽根１６，１７，１８，１９，２０が重畳状態となって開口部１ａの上方位置に格納されることによって、図１に示すセット状態となる。
【００３６】
尚、上記の実施例においては、スペース部材２１を、緩衝部材２２，２３，２４，２５，２６とは別の材料で製作し、それに各緩衝部材を取り付けているが、スペース部材２１も緩衝部材２２，２３，２４，２５，２６と同じ材料により、一部品として製作するようにしても差し支えない。また、各緩衝部材はスペース部材２１の各段部に取り付けられているが、例えば二つの地板の一方に、個別に且つ直接に取り付けるようにしても差し支えない。更に、上記の実施例の場合には、中間板１２が、図１の側面から視て、二つの地板１，２８に対して斜めになるように配置されているが、シャッタの形式によっては二つの地板１，２８に対して平行に配置したものもある。そのため、本発明は、中間板１２に接触しているスペース部材２１の面が、実施例のように中間板１２の面に合わせて斜めに形成したものに限定されるものではない。
【００３７】
また、上記の実施例は、シャッタ地板１と中間板１２との間に先羽根群４が、中間板１２と補助地板２８との間に後羽根群１３が配置されているが、本発明は、シャッタ地板１と中間板１２との間に後羽根群１３が、中間板１２と補助地板２８との間に先羽根群４が配置されているシャッタにも適用することが可能である。その場合には、当然のことながら、スペース部材２１はシャッタ地板１と中間板１２との間に配置されることになる。更に、本実施例の場合には、露光作動時に、各羽根群４，１３が下方へ作動する形式になっているが、本発明は、上方へ作動する形式のシャッタにも適用することが可能である。
【００３８】
【発明の効果】
上記のように、本発明によれば、露光作動終了時に、後羽根群を構成する複数の羽根が緩衝部材に直接当接するので、従来のようにスリット形成羽根のみが緩衝部材に当接するものに比較して、フィルムの再露光を防止することが容易になる。
【図面の簡単な説明】
【図１】本発明の実施例のセット状態を透視的に示した平面図である。
【図２】実施例の一部の構成部を示した平面図であって、図１において表面側から配置されている順に、図２（ａ），図２（ｂ），図２（ｃ）として示したものである。
【図３】実施例の一部の構成部を示した平面図であって、図１において図２に示した構成部の背面側に配置されている順に、図３（ａ），図３（ｂ）として示したものである。
【図４】実施例の一部の構成部を示した平面図であって、図１において図３に示した構成部の背面側に配置されている順に、図４（ａ），図４（ｂ），図４（ｃ）として示したものである。
【図５】実施例の一部の構成部を示した平面図であって、図１において図４に示した構成部の背面側に配置されている順に、図５（ａ），図５（ｂ）として示したものである。
【図６】露光作動終了直後の状態を透視的に示した実施例の平面図である。
【符号の説明】
１                            シャッタ地板
１ａ，１２ａ，２８ａ          開口部
１ｂ，１ｃ，１ｄ，２ａ，２ｂ，５ａ，１２ｂ，１２ｃ，１２ｄ，１４ａ，２１ａ，２１ｂ，２７ａ，２７ｂ，２８ｂ，２８ｃ，２８ｄ，
２８ｅ，２８ｊ，２８ｋ  孔
１ｅ，１ｆ，１ｇ，１ｈ，１ｉ，１ｊ，１ｋ，１ｍ  軸
２                            先羽根用押さえ板
３                            間座
４                            先羽根群
５，６，１４，１５            アーム
７，８，９，１０，１１，１６，１７，１８，１９，２０  羽根
１２                          中間板
１３                          後羽根群
２１                          スペース部材
２２，２３，２４，２５，２６，２９  緩衝部材
２７                          後羽根用押さえ板
２８                          補助地板
２８ｆ，２８ｇ，２８ｈ，２８ｉ  切欠き
２８ｍ                        折曲部
【図１】
0003822955.tif 000002
【図２】
0003822955.tif 000003
【図３】
0003822955.tif 000004
【図４】
0003822955.tif 000005
【図５】
0003822955.tif 000006
【図６】
0003822955.tif 000007